【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
ビデオデータを復号するための方法であって、
並列動き推定（ＰＭＥ）エリアのサイズの指示を受信することと、
ＰＭＥスタイル候補リスト構築プロセスおよび前記ＰＭＥエリアを使って、前記ＰＭＥエリア以下のサイズを有するコーディングユニットに対して動きベクトル予測プロセスを実施することと、
前記ＰＭＥエリアよりも大きいサイズを有するコーディングユニット向けの暗黙的ＰＭＥエリアを導出することと、
前記ＰＭＥスタイル候補リスト構築プロセスおよび前記暗黙的ＰＭＥエリアを使って、前記ＰＭＥエリアよりも大きい前記サイズを有するコーディングユニットに対して前記動きベクトル予測プロセスを実施することと、
前記ＰＭＥスタイル候補リスト構築プロセスを実施すること、ここにおいて、前記ＰＭＥスタイル候補リスト構築プロセスが、前記動きベクトル予測プロセス用の動きベクトル候補リストにおけるコーディングユニット間依存を除去する、と、
を備え、前記ＰＭＥスタイル候補リスト構築プロセスを実施することが、
候補ブロックが前記ＰＭＥエリアまたは前記暗黙的ＰＭＥエリア内にあるかどうか判断することと、
前記候補ブロックが前記ＰＭＥエリアまたは前記暗黙的ＰＭＥエリア内にある場合、前記動きベクトル候補リストに前記候補ブロックを追加しないことと、
前記候補ブロックが前記ＰＭＥエリア内にも前記暗黙的ＰＭＥエリア内にもない場合、前記動きベクトル候補リストに前記候補ブロックを追加することと、
を備える方法。
【請求項２】
前記暗黙的ＰＭＥエリアを導出することが、前記ＰＭＥエリアよりも大きい前記サイズを有する特定のコーディングユニットの前記サイズと等しい前記暗黙的ＰＭＥエリアを導出することを備える、請求項１に記載の方法。
【請求項３】
前記ＰＭＥスタイル候補リスト構築プロセスが、前記動きベクトル候補リストにおける予測ユニット間依存をさらに除去する、請求項１に記載の方法。
【請求項４】
前記動きベクトル予測プロセスがマージモードであるか、または前記動きベクトル予測プロセスが高度動きベクトル予測プロセスである、請求項１に記載の方法。
【請求項５】
前記ＰＭＥエリアおよび前記暗黙的ＰＭＥエリア内のすべてのコーディングユニットに対して動き推定を並列に実施することをさらに備える、請求項１に記載の方法。
【請求項６】
前記ＰＭＥエリアよりも大きいコーディングユニットのすべての予測ユニットに対して動き推定を並列に実施することをさらに備える、請求項１に記載の方法。
【請求項７】
前記動きベクトル予測プロセスを実施することが動きベクトルを生成し、前記方法が、
前記生成された動きベクトルを使って、前記コーディングユニットを復号することをさらに備える、請求項１に記載の方法。
【請求項８】
ビデオデータを符号化するための方法であって、
ＰＭＥスタイル候補リスト構築プロセスおよび前記ＰＭＥエリアを使って、並列動き推定（ＰＭＥ）エリア以下のサイズを有するコーディングユニットに対して動きベクトル予測プロセスを実施することと、
前記ＰＭＥスタイル候補リスト構築プロセスおよび暗黙的ＰＭＥエリアを使って、前記ＰＭＥエリアよりも大きい前記サイズを有するコーディングユニットに対して前記動きベクトル予測プロセスを実施することと、
前記ＰＭＥスタイル候補リスト構築プロセスを実施すること、ここにおいて、前記ＰＭＥスタイル候補リスト構築プロセスが、前記動きベクトル予測プロセス用の動きベクトル候補リストにおけるコーディングユニット間依存を除去する、と、
を備え、前記ＰＭＥスタイル候補リスト構築プロセスを実施することが、
候補ブロックが前記ＰＭＥエリアまたは前記暗黙的ＰＭＥエリア内にあるかどうか判断することと、
前記候補ブロックが前記ＰＭＥエリアまたは前記暗黙的ＰＭＥエリア内にある場合、前記動きベクトル候補リストに前記候補ブロックを追加しないことと、
前記候補ブロックが前記ＰＭＥエリア内にも前記暗黙的ＰＭＥエリア内にもない場合、前記動きベクトル候補リストに前記候補ブロックを追加することと、
前記ＰＭＥエリアのサイズの指示をシグナリングすることと、
を備える方法。
【請求項９】
前記暗黙的ＰＭＥエリアが、前記ＰＭＥエリアよりも大きい前記サイズを有する特定のコーディングユニットの前記サイズに等しい、請求項８に記載の方法。
【請求項１０】
前記ＰＭＥスタイル候補リスト構築プロセスが、前記動きベクトル候補リストにおける予測ユニット間依存をさらに除去する、請求項８に記載の方法。
【請求項１１】
前記動きベクトル予測プロセスがマージモードであるか、または前記動きベクトル予測プロセスが高度動きベクトル予測プロセスである、請求項８に記載の方法。
【請求項１２】
前記ＰＭＥエリアおよび前記暗黙的ＰＭＥエリア内のすべてのコーディングユニットに対して動き推定を並列に実施することと、
前記ＰＭＥエリアよりも大きいコーディングユニットのすべての予測ユニットに対して動き推定を並列に実施することと、
をさらに備える、請求項８に記載の方法。
【請求項１３】
ビデオデータを復号するように構成された装置であって、
並列動き推定（ＰＭＥ）エリアのサイズの指示を受信するための手段と、
ＰＭＥスタイル候補リスト構築プロセスおよび前記ＰＭＥエリアを使って、前記ＰＭＥエリア以下のサイズを有するコーディングユニットに対して動きベクトル予測プロセスを実施するための手段と、
前記ＰＭＥエリアよりも大きいサイズを有するコーディングユニット向けの暗黙的ＰＭＥエリアを導出するための手段と、
前記ＰＭＥスタイル候補リスト構築プロセスおよび前記暗黙的ＰＭＥエリアを使って、前記ＰＭＥエリアよりも大きい前記サイズを有するコーディングユニットに対して前記動きベクトル予測プロセスを実施するための手段と、
前記ＰＭＥスタイル候補リスト構築プロセスを実施するための手段、ここにおいて、前記ＰＭＥスタイル候補リスト構築プロセスが、前記動きベクトル予測プロセス用の動きベクトル候補リストにおけるコーディングユニット間依存を除去する、と、
を備え、
前記ＰＭＥスタイル候補リスト構築プロセスを実施するための前記手段が、
候補ブロックが前記ＰＭＥエリアまたは前記暗黙的ＰＭＥエリア内にあるかどうか判断するための手段と、
前記候補ブロックが前記ＰＭＥエリアまたは前記暗黙的ＰＭＥエリア内にある場合、前記動きベクトル候補リストに前記候補ブロックを追加しないための手段と、
前記候補ブロックが前記ＰＭＥエリア内にも前記暗黙的ＰＭＥエリア内にもない場合、前記動きベクトル候補リストに前記候補ブロックを追加するための手段と、
を備える装置。
【請求項１４】
ビデオデータを符号化するように構成された装置であって、
ＰＭＥスタイル候補リスト構築プロセスおよび前記ＰＭＥエリアを使って、並列動き推定（ＰＭＥ）エリア以下のサイズを有するコーディングユニットに対して動きベクトル予測プロセスを実施するための手段と、
前記ＰＭＥスタイル候補リスト構築プロセスおよび暗黙的ＰＭＥエリアを使って、前記ＰＭＥエリアよりも大きい前記サイズを有するコーディングユニットに対して前記動きベクトル予測プロセスを実施するための手段と、
前記ＰＭＥスタイル候補リスト構築プロセスを実施するための手段、ここにおいて、前記ＰＭＥスタイル候補リスト構築プロセスが、前記動きベクトル予測プロセス用の動きベクトル候補リストにおけるコーディングユニット間依存を除去する、と、
を備え、前記ＰＭＥスタイル候補リスト構築プロセスを実施するための前記手段が、
候補ブロックが前記ＰＭＥエリアまたは前記暗黙的ＰＭＥエリア内にあるかどうか判断するための手段と、
前記候補ブロックが前記ＰＭＥエリアまたは前記暗黙的ＰＭＥエリア内にある場合、前記動きベクトル候補リストに前記候補ブロックを追加しないための手段と、
前記候補ブロックが前記ＰＭＥエリア内にも前記暗黙的ＰＭＥエリア内にもない場合、前記動きベクトル候補リストに前記候補ブロックを追加するための手段と、
前記ＰＭＥエリアのサイズの指示をシグナリングするための手段と、
を備える装置。
【請求項１５】
実行されたとき、１つまたは複数のプロセッサに、請求項１−７、または請求項８−１２のうちのいずれか１項に記載の方法を実行させる、命令を記憶するコンピュータ可読記憶媒体。